(57)【要約】【課題】灯具を照明器具に取り付ける操作を容易にする。【解決手段】照明装置１０は、照明器具２０と、灯具３０とを備える。前記照明器具２０は、前記灯具３０と電気的に接続する器具接続部を備え、前記灯具３０は、光源部と、前記光源部が取り付けられた灯具本体と、前記灯具本体の前記光源部が取り付けられた面とは反対側の面に設けられ、この面に対して交差する方向に前記器具接続部が抜き差しされる灯具接続部と、を備えた。【選択図】図１
2018133345.tif 000002
【特許請求の範囲】
【請求項１】
照明器具と、
前記照明器具に着脱可能に取り付けられた灯具と、
を備え、
前記照明器具は、
前記灯具と電気的に接続する器具接続部を備え、
前記灯具は、
光源部と、
前記光源部が取り付けられた灯具本体と、
前記灯具本体の前記光源部が取り付けられた面とは反対側の面に設けられ、この面に対して交差する方向に前記器具接続部が抜き差しされる灯具接続部と、
を備えた照明装置。
【請求項２】
前記灯具は、前記照明器具に係合する灯具係合部を２つ備え、
前記灯具接続部は、２つの前記灯具係合部に挟まれたエリアに配置されたことを特徴とする請求項１に記載の照明装置。
【請求項３】
前記照明器具は、前記灯具が挿入される開口部を有し、
前記灯具は、外郭の外寸が、前記開口の大きさと略等しく形成されており、前記開口部から挿入された状態で照明器具に取り付けられている請求項１又は請求項２に記載の照明装置。
【請求項４】
前記照明器具と前記灯具は、前記灯具が前記照明器具の所定の位置に取り付けられた状態を示す位置合わせのための表示がなされたことを特徴とする請求項１から請求項３のいずれか一項に記載の照明装置。
【請求項５】
前記灯具本体は、端面を有する筒状の筐体を有し、
前記灯具接続部は、前記筐体の前記端面に配置されている請求項１から請求項４のいずれか一項に記載の照明装置。
【請求項６】
前記器具接続部と前記灯具接続部とは、コネクタである請求項１から請求項５のいずれか一項に記載の照明装置。
【請求項７】
照明器具と、
前記照明器具に着脱可能に取り付けられた灯具と、
前記灯具を前記照明器具の内側でロックする取り付け機構と、
前記灯具の着脱経路を案内するガイド溝部と、
を備え、
前記照明器具は、
前記灯具を前記照明器具の内側に挿入するための開口部を有し、
前記灯具は、
前記照明器具の内側でロックされた状態で、前記開口部から前記照明器具の内側に向か
う方向ヘ押されることで前記照明器具の内側でロックされた状態が解除され、前記ガイド
溝部に沿って移動することで前記照明器具から取り外し可能な状態になる照明装置。
【請求項８】
前記ガイド溝部は、少なくとも一部が前記開口部から前記照明器具の内側に向かう方向
に対して直交する方向に設けられた請求項７に記載の照明装置。
【請求項９】
前記照明器具と前記灯具とは、前記灯具が前記照明器具に挿入されるときの位置合わせのための表示が設けられている請求項７又は請求項８に記載の照明装置。
【発明の詳細な説明】
【技術分野】
【０００１】
本発明は、灯具及び照明器具及び照明装置及び照明器具への灯具の取り付け方法に関するものである。本発明は、例えば、固体発光素子を光源とする灯具と、この灯具が着脱可能に装着される照明器具とを備える照明装置に関するものである。
【背景技術】
【０００２】
従来、ＬＥＤを光源とし、ＧＸ５３形又はＧＨ６９ｈ形又はＧＨ７６ｐ形の口金部構造を用いて照明器具に着脱自在に取り付けられるランプ装置がある（例えば、特許文献１，２参照）。
【先行技術文献】
【特許文献】
【０００３】
【特許文献１】特開２０１３−３０４１４号公報
【特許文献２】国際公開第２０１２／００５２３９号
【特許文献３】特開２０１４−０７１９９２号公報
【特許文献４】実願昭６２−０６２９０２号（実開昭６３−１６８９１０号）のマイクロフィルム
【特許文献５】特開２０１０−１２９４８９号公報
【特許文献６】特開２００３−０５９３３２号公報
【発明の概要】
【発明が解決しようとする課題】
【０００４】
従来のランプ装置は、照明器具に取り付けたり、照明器具から取り外したりする際に回転させる構造となっている。このため、ランプ装置の外周縁部を手指で掴むことができるように窪ませたり張り出させたり、又は、ランプ装置の外周部と照明器具との間に手指が挿入可能な隙間を設けたりする必要があり、光学特性や意匠性の面で課題があった。
【０００５】
ランプ装置のカバー部に指を押し当てながらランプ装置を回転させるようにすれば、ランプ装置の外周部と照明器具との間に隙間を生じさせる必要がなくなる。しかし、その場合、指が滑ってランプ装置を回転させ難いという課題があった。ランプ装置のカバー部に滑り止め用の突起を設けたとしても、指を押し当てながらランプ装置を回転させる操作は容易ではない。また、そのような突起も、光学特性や意匠性の面で課題があった。
【０００６】
本発明は、例えば、灯具を照明器具に取り付ける操作を容易にすることを目的とする。
【課題を解決するための手段】
【０００７】
本発明の一の態様に係る照明装置は、
照明器具と、
前記照明器具に着脱可能に取り付けられた灯具と、
を備え、
前記照明器具は、
前記灯具と電気的に接続する器具接続部を備え、
前記灯具は、
光源部と、
前記光源部が取り付けられた灯具本体と、
前記灯具本体の前記光源部が取り付けられた面とは反対側の面に設けられ、この面に対して交差する方向に前記器具接続部が抜き差しされる灯具接続部と、
を備えた。
【発明の効果】
【０００８】
本発明によれば、灯具を照明器具に取り付ける操作が容易になる。
【図面の簡単な説明】
【０００９】
【図１】実施の形態１に係る照明装置の正面図。
【図２】実施の形態１に係る照明装置の背面図。
【図３】実施の形態１に係る照明装置の右側面図。
【図４】実施の形態１に係る照明装置の左側面図。
【図５】実施の形態１に係る照明装置の上面図。
【図６】実施の形態１に係る照明装置の下面図。
【図７】実施の形態１に係る照明装置の分解図。
【図８】実施の形態１に係る照明器具の斜視図。
【図９】実施の形態１に係る照明器具の正面図。
【図１０】実施の形態１に係る照明器具の背面図。
【図１１】実施の形態１に係る照明器具の右側面図。
【図１２】実施の形態１に係る照明器具の左側面図。
【図１３】実施の形態１に係る照明器具の上面図。
【図１４】実施の形態１に係る照明器具の下面図。
【図１５】実施の形態１に係る灯具の正面図。
【図１６】実施の形態１に係る灯具の背面図。
【図１７】実施の形態１に係る灯具の右側面図。
【図１８】実施の形態１に係る灯具の左側面図。
【図１９】実施の形態１に係る灯具の上面図。
【図２０】実施の形態１に係る灯具の下面図。
【図２１】実施の形態１に係る照明器具の内側を示す部分斜視図。
【図２２】実施の形態２に係る照明装置の下面図。
【発明を実施するための形態】
【００１０】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１１】
実施の形態１．
図１は、本実施の形態に係る照明装置１０の正面図である。図２は、照明装置１０の背面図である。図３は、照明装置１０の右側面図である。図４は、照明装置１０の左側面図である。図５は、照明装置１０の上面図である。図６は、照明装置１０の下面図である。図７は、照明装置１０の分解図であり、灯具３０を照明器具２０に取り付ける様子を示す図である。
【００１２】
図１〜７に示すように、照明装置１０は、照明器具２０と、灯具３０とを備える。灯具３０は、プッシュ操作によりロックされる取り付け機構を用いて照明器具２０に取り付けられる。灯具３０がプッシュ操作の方向（上下方向）と同じ方向に押されることで取り付け機構がロックされて照明器具２０への灯具３０の取り付けが完了する。本実施の形態において、取り付け機構はラッチ機構１１である。即ち、灯具３０は、プッシュ操作によりロックされるラッチ機構１１を用いて照明器具２０に取り付けられる。灯具３０がプッシュ操作の方向（上下方向）と同じ方向に押されることでラッチ機構１１がロックされて照明器具２０への灯具３０の取り付けが完了する。
【００１３】
本実施の形態において、灯具３０は、照明器具２０に着脱自在に取り付けられる。即ち、灯具３０は、取り付け機構のロックが解除されることで照明器具２０から取り外される。前述したように、本実施の形態において、取り付け機構はラッチ機構１１である。即ち、灯具３０は、ラッチ機構１１のロックが解除されることで照明器具２０から取り外される。
【００１４】
取り付け機構は、ロックされた状態でプッシュ操作されることによりロックが解除される。本実施の形態において、ラッチ機構１１は、プッシュロック・プッシュオープン方式（オルタネイト方式）のラッチ（プッシュプッシュラッチ、或いは、単にプッシュラッチともいい、プッシュキャッチということもある）である。
【００１５】
なお、取り付け機構として、ロックされた状態でプル操作されることによりロックが解除されるものを用いてもよい。本実施の形態において、ラッチ機構１１は、プッシュロック・プルオープン方式のラッチ（プッシュプルラッチ）であってもよい。
【００１６】
照明器具２０は、器具本体２１と、器具本体２１に取り付けられる器具係合部２２とを備える。
【００１７】
灯具３０は、灯具本体３１と、灯具本体３１に取り付けられる灯具係合部３２とを備える。
【００１８】
ラッチ機構１１は、照明器具２０の器具係合部２２と、灯具３０の灯具係合部３２とからなる。
【００１９】
本実施の形態では、灯具３０を、ラッチ機構１１をロックするためのプッシュ操作の方向（上下方向）と同じ方向に押すことで、ラッチ機構１１がロックされて照明器具２０への灯具３０の取り付けが完了する。従来の構成であれば、灯具本体３１の下面に指を押し当てながら灯具３０を回転させるといった操作が必要であるが、本実施の形態によれば、灯具本体３１の下面を指で押し上げる操作によってラッチ機構１１をロックし、照明器具２０への灯具３０の取り付けを完了させることができる。よって、灯具３０を照明器具２０に取り付ける操作が容易になる。
【００２０】
照明器具２０の器具係合部２２は、受け部（例えば、挿入口）が形成されたラッチ本体に相当する。灯具３０の灯具係合部３２は、押し込み部（例えば、凸形状の先端）が形成されたキーパ（ストライカともいう）に相当する。ラッチ機構１１は、プッシュ操作によりキーパの押し込み部がラッチ本体の受け部に挿入されてラッチ本体の内部のロック作動点まで押し込まれると、キーパがラッチ本体に引っ掛かってロックされた状態になる。また、ラッチ機構１１は、キーパがラッチ本体に引っ掛かった状態（即ち、ロックされた状態）で再度のプッシュ操作によりキーパの押し込み部がラッチ本体の内部のロック解除点まで押し込まれると、ロックが解除されてキーパの押し込み部がラッチ本体の受け部から解放される。
【００２１】
なお、照明器具２０の器具係合部２２をキーパ、灯具３０の灯具係合部３２をラッチ本体として構成してもよい。
【００２２】
図８は、照明器具２０の斜視図である。図９は、照明器具２０の正面図である。図１０は、照明器具２０の背面図である。図１１は、照明器具２０の右側面図である。図１２は、照明器具２０の左側面図である。図１３は、照明器具２０の上面図である。図１４は、照明器具２０の下面図である。
【００２３】
また、図１５は、灯具３０の正面図である。図１６は、灯具３０の背面図である。図１７は、灯具３０の右側面図である。図１８は、灯具３０の左側面図である。図１９は、灯具３０の上面図である。図２０は、灯具３０の下面図である。
【００２４】
図８〜１４に示すように、照明器具２０の器具本体２１は、円形状のベースプレート部４１と、ベースプレート部４１から延出する１対のアーム部４２と、アーム部４２に取り付けられる枠部４３とを備える。器具本体２１は、器具取り付けばね（図示していない）等によって天井等の器具設置部に取り付けられる。
【００２５】
ベースプレート部４１には、前述した器具係合部２２のほか、器具接続部２３と、端子台４４とが取り付けられる。端子台４４は、外部からの電源配線４５によって商用電源等の外部電源（図示していない）と電気接続されるとともに、接続配線４６によって器具接続部２３と電気接続される。
【００２６】
ベースプレート部４１には、灯具３０を照明器具２０に着脱自在に装着するための器具係合部２２として、第１ラッチ部５１及び第２ラッチ部５２が取り付けられている。第１ラッチ部５１及び第２ラッチ部５２は、それぞれ前述したラッチ本体に相当する。詳細は後述するが、灯具３０の灯具本体３１には、灯具係合部３２として、前述したキーパが２個取り付けられている。第１ラッチ部５１は一方のキーパに、第２ラッチ部５２は他方のキーパに、それぞれ対応させた位置に、それぞれ係合可能な向きで、ベースプレート部４１に取り付けられている。
【００２７】
第１ラッチ部５１及び第２ラッチ部５２は、鍵型形状をなす可動突出片を有する。キーパが第１ラッチ部５１及び第２ラッチ部５２に挿入されると、キーパの側面部が可動突出片に挟み込まれるとともに、キーパの先端部が可動突出片に係り合うことで、キーパが第１ラッチ部５１及び第２ラッチ部５２と係合する。この係合機構は、オルタネイト動作（位置保持型）機構である。
【００２８】
なお、器具本体２１に設けられるラッチ体の数は２個に限られるものではなく、任意の数であってよい。ラッチ体の数は、例えば、照明装置１０の寸法、灯具３０の質量等に応じて適宜決定される。
【００２９】
ラッチ体は、可動部を除く部分がベースプレート部４１と一体成形されてもよい。ラッチ体の材質は、例えば、樹脂又は金属である。
【００３０】
ベースプレート部４１には、照明器具２０と灯具３０との電気接続を行うための器具接続部２３として、ソケットが取り付けられている。詳細は後述するが、灯具３０の灯具本体３１には、灯具接続部３３として、プラグが取り付けられている。器具接続部２３は、灯具接続部３３に対応させた位置に、接続可能な向きで、ベースプレート部４１に取り付けられている。第１ラッチ部５１及びそれに対応するキーパが係合状態であって、且つ、第２ラッチ部５２及びそれに対応するキーパが係合状態であるときに、器具接続部２３は灯具接続部３３と電気接続される。このような構成を採用することで、例えば、灯具３０が照明器具２０に傾いたまま取り付けられた状態で、器具接続部２３から灯具接続部３３に不完全な電力供給が行われないようにして、安全性を確保することができる。なお、器具接続部２３であるソケットと灯具接続部３３であるプラグとの接続をスムーズに行うために、ソケットの先端部又はソケットの周辺部がテーパ状になっていてもよい。
【００３１】
本実施の形態において、器具接続部２３と灯具接続部３３との接続は、電気的接続に加え、機械的接続も担う接続であるが、器具係合部２２と灯具係合部３２との接続が、主の機械的接続を担っている。この構成を、器具接続部２３と灯具接続部３３との接続が主の機械的接続を担うように変更してもよい。即ち、ラッチ機構１１と同様の機構を、器具接続部２３と灯具接続部３３とで構成してもよい。例えば、器具接続部２３にソケットとラッチ本体とを兼ねる構造を採用し、灯具接続部３３にプラグとキーパとを兼ねる構造を採用することができる。或いは、器具接続部２３にソケットとキーパとを兼ねる構造を採用し、灯具接続部３３にプラグとラッチ本体とを兼ねる構造を採用することができる。このように、器具係合部２２の機能と器具接続部２３の機能とを統合した複合部品を用いた照明器具２０に、灯具係合部３２の機能と灯具接続部３３の機能とを統合した複合部品を用いた灯具３０を着脱自在に装着できるようにすることで、より自由度の高い設計が可能となる。
【００３２】
器具接続部２３は、照明器具２０に灯具３０が装着されていない状態で指が接触しても感電しないように、活電部である端子には接触できない構造であることが安全上好ましい。例えば、指が入らない程度の細さの凹部が形成された絶縁部材をベースプレート部４１に設置し、その凹部の内側（底）に端子を設けることが望ましい。一方、灯具３０の灯具接続部３３は、単体では活電部とならないため、端子に接触できる構造でも安全上問題にはならない。
【００３３】
なお、照明器具２０の器具接続部２３をプラグ、灯具３０の灯具接続部３３をソケットとして構成してもよい。
【００３４】
枠部４３は、第１開口部５３及び第２開口部５４が形成されたドーム形状のリフレクタ部５５と、第１開口部５３の周縁部から外方に突出する器具鍔部５６とを備える。リフレクタ部５５の中央部に形成された第２開口部５４は、灯具３０が挿入される円形状の開口部に相当する。
【００３５】
なお、照明器具２０の器具本体２１は、灯具３０を装着可能な構成であれば、任意の形状の枠部４３を備えていてよい。或いは、枠部４３自体を備えていなくてもよい。
【００３６】
図１５〜２０に示すように、灯具３０の灯具本体３１は、光源部３４を収容する円筒状の筐体６１と、光源部３４の光の出射側を覆うように筐体６１に取り付けられる透光性のカバー部６２と、カバー部６２の枠に一体形成された灯具鍔部６３とを備える。
【００３７】
図示していないが、光源部３４は、固体発光素子と、固体発光素子が実装された基板とを備える。光源部３４として、交換可能なモジュールが用いられてもよい。
【００３８】
固体発光素子としては、例えば、複数のＬＥＤが用いられる。なお、有機ＥＬ、レーザダイオード等、他の種類の固体発光素子が用いられてもよい。
【００３９】
カバー部６２は、透光性を有する材料で形成された部分と、その部分を支持する枠とからなる。透光性を有する材料としては、例えば、ポリカーボネート、アクリル等の樹脂材料、又は、ガラスを用いることができる。カバー部６２には、照明装置１０又は灯具３０の用途や仕様に応じて、光拡散、光波長変換等の機能が付加されてもよい。また、カバー部６２には、光学的な要求性能に対応して、表面を凹凸形状にする等の加工が施されてもよい。
【００４０】
従来の構成であれば、カバー部６２の表面に滑り止め用の加工を施す必要があるため、カバー部６２の表面が変形することによって光学性能に影響が出たり、意匠性が損なわれたりするおそれがある。しかし、本実施の形態では、カバー部６２を指で押し上げることができればよいため、そのような加工を省略することができる。
【００４１】
筐体６１は、金属、樹脂、セラミック等の材料を用いて形成される。筐体６１は、複数の材料を組み合わせて形成されてもよい（例えば、複数の材料を混合して使用してもよいし、異なる材料で形成された別々の部品を組み合わせてもよい）。筐体６１に熱伝導性に優れた材料を用いたり、筐体６１を放熱性に優れた形状に成形したりすることもできる。筐体６１の内部には、光源部３４に発光用の電力を供給するための電源部（図示していない）が収容される。筐体６１は、灯具３０を照明器具２０に取り付けたときに照明器具２０との間に極力隙間ができない寸法とすることが好ましい。筐体６１の光の出射側には、光学的な要求性能に対応して、表面を凹凸形状にする等の変形を加えてもよい。
【００４２】
従来の構成であれば、筐体６１の光の出射側に、指で掴むための窪みや突起等を設ける必要があるため、周端縁部を含む表面が変形することによって光学性能に影響が出たり、意匠性が損なわれたりするおそれがある。しかし、本実施の形態では、カバー部６２を指で押し上げることができればよいため、そのような窪みや突起等を設ける必要がなくなる。
【００４３】
筐体６１の全体又は一部（例えば、ヒートシンク部）が金属製である場合は、電源部と筐体６１（の金属部分）との間に絶縁部材（図示していない）を配置する。このとき、電気絶縁性を有する限りにおいて、絶縁部材の態様は限定されない。例えば、電源部の動作熱を効率よく灯具３０の外部に伝達するために、絶縁部材の少なくとも一部を熱伝導性材料としてもよい。
【００４４】
ここで、ラッチ機構１１がストローク（ロックストローク及びロック解除ストローク）を有する場合、ストロークの寸法を調整することによって、灯具３０が照明器具２０に取り付けられたときの、灯具３０の筐体６１と照明器具２０のベースプレート部４１との間隔を調整することができる。例えば、この間隔を大きくすることによって、より効率的に灯具３０の熱を外部に放散させることができる。
【００４５】
なお、筐体６１の内部に電源部を収容する代わりに、外部電源（例えば、直流電源）から光源部３４に発光用の電力が直接供給されるような構成を採用してもよい。
【００４６】
筐体６１の上面部には、灯具３０を照明器具２０に着脱自在に装着するための灯具係合部３２として、第１キーパ部７１及び第２キーパ部７２が取り付けられている。第１キーパ部７１及び第２キーパ部７２は、それぞれ前述したキーパに相当する。前述した通り、照明器具２０のベースプレート部４１には、器具係合部２２として、第１ラッチ部５１及び第２ラッチ部５２が取り付けられている。第１キーパ部７１は第１ラッチ部５１に、第２キーパ部７２は第２ラッチ部５２に、それぞれ対応させた位置に、それぞれ係合可能な向きで、筐体６１に取り付けられている。
【００４７】
第１キーパ部７１及び第２キーパ部７２は、Ｔ字形状をなす突出片を有する。第１キーパ部７１及び第２キーパ部７２がそれぞれ第１ラッチ部５１及び第２ラッチ部５２に挿入されると、第１キーパ部７１及び第２キーパ部７２の側面部が第１ラッチ部５１及び第２ラッチ部５２の可動突出片に挟み込まれるとともに、第１キーパ部７１及び第２キーパ部７２の先端部が第１ラッチ部５１及び第２ラッチ部５２の可動突出片に係り合うことで、第１キーパ部７１及び第２キーパ部７２がそれぞれ第１ラッチ部５１及び第２ラッチ部５２と係合する。この係合機構は、前述したように、オルタネイト動作（位置保持型）機構である。
【００４８】
なお、灯具本体３１に設けられるキーパの数は２個に限られるものではなく、器具本体２１に設けられるラッチ体の数に応じて適宜変更される。
【００４９】
キーパは、筐体６１と一体成形されてもよい。キーパの材質は、例えば、樹脂又は金属である。なお、キーパとラッチ体との両方が金属で形成される場合、キーパとラッチ体とが係合することにより、灯具３０と照明器具２０との間に放熱経路を形成することができる。放熱経路を形成する目的において、キーパとラッチ体との両方或いはいずれか一方が金属以外の熱伝導性材料を用いて形成されてもよい。
【００５０】
筐体６１の上面部には、照明器具２０と灯具３０との電気接続を行うための灯具接続部３３として、プラグが取り付けられている。前述した通り、照明器具２０のベースプレート部４１には、器具接続部２３として、ソケットが取り付けられている。灯具接続部３３は、器具接続部２３に対応させた位置に、接続可能な向きで、筐体６１に取り付けられている。第１ラッチ部５１と第１キーパ部７１とが係合状態であって、且つ、第２ラッチ部５２と第２キーパ部７２とが係合状態であるときに、灯具接続部３３は器具接続部２３と電気接続される。灯具接続部３３は、筐体６１に収容された電源部と電気接続されているため、灯具接続部３３と器具接続部２３とが接続されると、電源部への給電が可能となる。なお、灯具接続部３３であるプラグと器具接続部２３であるソケットとの接続をスムーズに行うために、プラグの先端部又はプラグの周辺部がテーパ状になっていてもよい。
【００５１】
灯具鍔部６３は、灯具本体３１の光の出射側の周縁部から外方に突出するように形成されている。灯具鍔部６３の役割については、後述する。
【００５２】
図２１は、照明器具２０の内側を示す部分斜視図である。
【００５３】
図２１において、照明器具２０のそれぞれのアーム部４２の内周面部８１には、灯具３０を照明器具２０に対して着脱する過程において、照明器具２０に対する灯具３０の着脱経路を特定する器具ガイド部８２（ガイド溝部）が１つずつ形成されている。器具ガイド部８２は、照明器具２０の枠部４３が有するリフレクタ部５５の略中央部に形成された円形状の第２開口部５４の開口面に対して略垂直方向に形成された第１溝部９１及び第３溝部９３と、第１溝部９１と第３溝部９３とを繋ぎ、第２開口部５４の開口面に対して略平行方向に形成された第２溝部９２とで構成される。なお、器具ガイド部８２は、第２開口部５４側から、第３溝部９３、第２溝部９２、第１溝部９１の順で連続して形成されている。第１溝部９１と第２溝部９２との接続部分には、落下防止部９４が形成されている。
【００５４】
図１５〜１９に示したように、灯具３０の灯具本体３１には、外周面から突出する２つの灯具ガイド部７３（ガイド突部）が設けられている。本実施の形態において、それぞれの灯具ガイド部７３は円筒形状である。それぞれの灯具ガイド部７３は、照明器具２０のアーム部４２に形成された器具ガイド部８２と嵌合して摺動可能な寸法で、灯具本体３１の外周面に形成されている。
【００５５】
灯具３０を照明器具２０に対して着脱する過程において、２つの灯具ガイド部７３が２つの器具ガイド部８２と嵌合しながら移動することによって、照明器具２０に対する灯具３０の着脱経路が特定される。具体的には、灯具３０を照明器具２０に取り付ける際には、それぞれの灯具ガイド部７３が、対応する器具ガイド部８２の第３溝部９３、第２溝部９２、第１溝部９１の順で移動する。灯具３０を照明器具２０から取り外す際には、それぞれの灯具ガイド部７３が、対応する器具ガイド部８２の第１溝部９１、第２溝部９２、第３溝部９３の順で移動する。
【００５６】
灯具３０の灯具鍔部６３は、灯具３０が照明器具２０に取り付けられたときに、灯具本体３１に形成される灯具ガイド部７３と、照明器具２０のアーム部４２の内周面部８１に形成される第３溝部９３と、内周面部８１及び灯具本体３１の間の隙間とを覆い隠す。これにより、灯具３０を照明器具２０に取り付けた際に、照明器具２０と灯具３０との一体性が高まり、照明装置１０の意匠性が向上する。特に、照明装置１０が、（コスト抑制を目的として）灯具が着脱できない他の照明装置とともに設置される場合、照明装置１０と他の照明装置との外観を共通化することが容易になる。また、照明装置１０と他の照明装置とを１つの商品ラインアップとして扱う場合、商品群全体の統一感が向上する。
【００５７】
以上説明したように、本実施の形態では、灯具３０が、円柱状の灯具本体３１を備える。灯具本体３１は、円形の一端面（上面）と円形の他端面（下面）と外周面とを有する。灯具本体３１の円形の一端面には、キーパ（灯具係合部３２）が設けられている。灯具本体３１の円形の一端面には、ラッチ機構１１がロックされた状態のときに照明器具２０と電気接続するコネクタ（灯具接続部３３）も設けられている。
【００５８】
なお、キーパ（灯具係合部３２）は、灯具本体３１の外周面に設けられてもよい。その場合のキーパの構造は、ラッチ機構１１をロックするためのプッシュ操作の方向が、キーパを灯具本体３１の円形の一端面に設ける場合と同じ方向（上下方向）になるようなものとする。キーパを灯具本体３１の外周面に設ける場合、キーパを灯具本体３１の円形の一端面に設ける場合よりも灯具３０に対する照明器具２０の高さを低くすることができる。キーパと同様に、コネクタ（灯具接続部３３）も、灯具本体３１の外周面に設けられてよい。
【００５９】
灯具３０の形状は、円柱状に限られるものではなく、直方体状等、他の形状であってもよい。
【００６０】
本実施の形態では、照明器具２０が、灯具本体３１を挿入するための円形の開口部（第２開口部５４）が形成された器具本体２１を備える。器具本体２１の開口部の奥（具体的には、内側の上面）には、ラッチ本体（器具係合部２２）が設けられている。また、器具本体２１の開口部の奥には、ラッチ機構１１がロックされた状態のときに灯具３０と電気接続するコネクタ（器具接続部２３）も設けられている。コネクタは、ラッチ機構１１がロックされた状態のときだけ灯具３０と電気接続できるようになっていることが安全上望ましい。
【００６１】
なお、ラッチ本体（器具係合部２２）は、器具本体２１の内周面に設けられてもよい。その場合のラッチ本体の構造は、ラッチ機構１１をロックするためのプッシュ操作の方向が、ラッチ本体を器具本体２１の内側の上面に設ける場合と同じ方向（上下方向）になるようなものとする。ラッチ本体を器具本体２１の内周面に設ける場合、ラッチ本体を器具本体２１の内側の上面に設ける場合よりも灯具３０に対する照明器具２０の高さを低くすることができる。ラッチ本体と同様に、コネクタ（器具接続部２３）も、器具本体２１の内周面に設けられてよい。
【００６２】
本実施の形態では、灯具３０が、器具本体２１の開口部（第２開口部５４）から挿入されて照明器具２０に取り付けられる。灯具本体３１には、突起（灯具ガイド部７３）が設けられている。器具本体２１の内周面（内周面部８１）には、灯具本体３１の突起に対応する、灯具３０の取り付けを案内するための溝（器具ガイド部８２）が形成されている。なお、この構成とは逆に、器具本体２１に突起が設けられ、灯具本体３１の外周面に、器具本体２１の突起に対応する、灯具３０の取り付けを案内するための溝が形成されてもよい。その場合、溝が灯具本体３１の円形の他端面（下面）に達しないようにすれば、灯具３０を照明器具２０に取り付けたときに溝が見えないため、灯具鍔部６３は不要となる。
【００６３】
本実施の形態では、上記の溝（器具ガイド部８２）の途中に、灯具本体３１の回転を案内するための領域（第２溝部９２）が形成されている。なお、そのような領域が形成されていなくてもよい。例えば、溝が、ラッチ機構１１をロックするためのプッシュ操作の方向と同じ方向（即ち、灯具３０が押される方向）に沿って一直線状に形成されていてもよい。
【００６４】
本実施の形態では、上記の溝（器具ガイド部８２）の途中に、灯具３０を半取り付け状態で保持するための領域（落下防止部９４）が形成されている。なお、そのような領域を形成するために、溝の一部（第１溝部９１と第２溝部９２との接続部分）を窪ませてもよいし、或いは、溝の一部（第２溝部９２全体）を傾斜させてもよい。また、そのような領域が形成されていなくてもよい。
【００６５】
上記の溝（器具ガイド部８２）は１つのみ形成されてもよいし、２つ以上形成されてもよいし、全く形成されていなくてもよい。溝に対応する突起（灯具ガイド部７３）は、溝と同数設けられる。
【００６６】
本実施の形態では、灯具３０が照明器具２０に取り付けられたときに、灯具本体３１の円形の他端面（下面）の位置が器具本体２１の開口部（第２開口部５４）と同じ位置になる。なお、灯具３０が照明器具２０に取り付けられたときに、灯具本体３１の円形の他端面の位置が器具本体２１の開口部より奥になってもよい。いずれの場合でも、灯具本体３１の下面を指で押し上げる操作には支障がないため、灯具３０を照明器具２０に容易に取り付けることができる。
【００６７】
以下では、本実施の形態に係る照明器具２０への灯具３０の取り付け方法について説明する。
【００６８】
まず、灯具３０を枠部４３が有するリフレクタ部５５側から、リフレクタ部５５の略中央部に形成された円形状の第２開口部５４に挿入する。２つの灯具ガイド部７３を２つの器具ガイド部８２に挿入する（嵌合させる）。それぞれの灯具ガイド部７３が第３溝部９３に嵌合することによって、灯具３０を、照明器具２０の第２開口部５４の開口面に対して略垂直方向に移動させることができる。つまり、灯具３０は、挿入方向（上方）に第２開口部５４内に押し込まれる。
【００６９】
灯具ガイド部７３が、第３溝部９３内を移動して、第３溝部９３と第２溝部９２との接続部に達すると、灯具ガイド部７３は、第２溝部９２内を、照明器具２０の第２開口部５４の開口面に対して略平行方向に移動することができる。このとき、灯具３０は照明器具２０に対して回転方向に移動する。回転方向の移動量（回転角度）と回転の向きは、照明装置１０又は照明器具２０の用途や仕様に応じて適宜決定され、第２溝部９２の長さや形状等によって調整される。
【００７０】
灯具ガイド部７３が、第２溝部９２内を移動して、第２溝部９２と第１溝部９１との接続部に達すると、灯具ガイド部７３は、第１溝部９１内を、照明器具２０の第２開口部５４の開口面に対して略垂直方向に移動することができる。灯具３０は、照明器具２０の第２開口部５４の開口面に対して略垂直方向にさらに移動する。つまり、灯具３０は、挿入方向に第２開口部５４内にさらに深く押し込まれる。
【００７１】
灯具３０を挿入する向きに完全に押し込むと、オルタネイト動作（位置保持型）機構である器具係合部２２と灯具係合部３２とが係合する。具体的には、第１ラッチ部５１に第１キーパ部７１が押し込まれることで、第１ラッチ部５１が第１キーパ部７１を挟み込んで第１キーパ部７１と係合され、この係合状態を維持する。同様に、第２ラッチ部５２に第２キーパ部７２が押し込まれることで、第２ラッチ部５２が第２キーパ部７２を挟み込んで第２キーパ部７２と係合され、この係合状態を維持する。これにより、照明器具２０への灯具３０の取り付けが完了する。第１ラッチ部５１と第１キーパ部７１との係合、第２ラッチ部５２と第１キーパ部７１との係合は同時に行われる。このとき、器具接続部２３が灯具接続部３３に挿入されて、灯具３０が照明器具２０と電気的にも接続される。なお、前述したように、灯具接続部３３と器具接続部２３との接続は、電気的接続に加え、機械的接続も担う接続である。
【００７２】
以下では、本実施の形態に係る照明器具２０からの灯具３０の取り外し方法について説明する。
【００７３】
まず、灯具３０を挿入する向き（上方）に押し込むと、オルタネイト動作（位置保持型）機構である器具係合部２２と灯具係合部３２との係合状態が解除される。具体的には、第１ラッチ部５１と第１キーパ部７１とが係合状態であるときに、第１ラッチ部５１に再び第１キーパ部７１が押し込まれると、第１ラッチ部５１は第１キーパ部７１を解放し、両者の係合状態は解除される。同様に、第２ラッチ部５２と第２キーパ部７２とが係合状態であるときに、第２ラッチ部５２に再び第２キーパ部７２が押し込まれると、第２ラッチ部５２は第２キーパ部７２を解放し、両者の係合状態は解除される。第１ラッチ部５１と第１キーパ部７１との係合状態の解除、第２ラッチ部５２と第１キーパ部７１との係合状態の解除は同時に行われる。
【００７４】
灯具ガイド部７３は、照明器具２０の第２開口部５４の開口面に対して略垂直方向に第１溝部９１内を移動可能となるが、灯具３０の自重によって、移動の向きは灯具３０を抜去する向き（下方）となる。灯具ガイド部７３は、落下防止部９４に捕捉されるまで第１溝部９１内を移動する。つまり、灯具３０は、抜去方向（下方）に第２開口部５４から飛び出すので、手指で灯具３０を掴むことが可能となる。
【００７５】
ここで、２つの落下防止部９４は、灯具３０の質量、枠部４３の材質等を勘案して強化された構造を有しているものとする。そのため、灯具３０が第２溝部９２に沿って勢いよく移動しても、灯具３０が照明器具２０から外れて落下するおそれがない。また、２つの灯具ガイド部７３が２つの落下防止部９４に捕捉された状態（仮保持状態）で灯具３０に振動が加わっても、それぞれの灯具ガイド部７３は第２溝部９２に移動しないので、灯具３０が照明器具２０から外れて落下するおそれがない。
【００７６】
灯具３０を挿入する向き（上方）に少し移動させながら、つまり、灯具３０の捕捉状態を解除しながら、灯具３０に対して回転方向の力を加えると（即ち、灯具３０を回転させると）、灯具ガイド部７３は、第２溝部９２内を、照明器具２０の第２開口部５４の開口面に対して略平行方向に移動することができる。このとき、灯具３０は照明器具２０に対して回転方向に移動する。回転方向の移動量（回転角度）と回転の向きは、第２溝部９２の長さや形状等による。回転の向きは、灯具３０を照明器具２０に取り付ける際の向きと逆になる。灯具ガイド部７３は、第２溝部９２と第３溝部９３との接続部まで、第２溝部９２内を移動する。
【００７７】
灯具ガイド部７３は、第２溝部９２と第３溝部９３との接続部に達すると、第３溝部９３内を灯具３０の自重のみで抜去方向に移動可能となる。そのため、灯具３０は照明器具２０から外れる。このようにして、照明器具２０からの灯具３０の取り外しが完了する。なお、灯具ガイド部７３が第２溝部９２内を移動しているときに、既に、灯具３０を手指で掴んで回転させているため、誤って灯具３０を落下させてしまうリスクが少なく、照明器具２０から灯具３０を安全に取り外すことができる。
【００７８】
以上のように、本実施の形態では、照明器具２０に対して着脱自在の灯具３０を照明器具２０に装着するための構成として、プッシュプッシュ式（オルタネイト方式）のラッチ機構１１を採用している。これにより、灯具３０を照明器具２０へ押し込むことで灯具３０を照明器具２０に固定することができるため、照明器具２０に対する灯具３０の着脱が容易になる。また、灯具３０と照明器具２０との間に隙間や段差等を設ける必要がほとんどないため、灯具３０を照明器具２０に取り付けた際に、照明器具２０と灯具３０との一体性が高まり、照明装置１０の意匠性が向上する。
【００７９】
実施の形態２．
本実施の形態について、主に実施の形態１との差異を説明する。
【００８０】
図２２は、本実施の形態に係る照明装置１０の下面図である。
【００８１】
図２２において、灯具３０のカバー部６２の枠の表面には、照明器具２０に対する灯具３０の取り付け及び取り外しを支援するための各種表示が施されている。例えば、灯具３０を照明器具２０に押し込む際に指を当てる位置が文字６４によって表示されている。灯具３０を照明器具２０に取り付ける際に灯具３０を回転させる向きが矢印６５によって表示されている。灯具３０を照明器具２０から取り外す際に灯具３０を回転させる向きが矢印６６によって表示されている。これらの表示を施すことで、灯具３０の取り付け及び取り外しが、より一層容易になる。
【００８２】
照明器具２０のリフレクタ部５５の内側の表面と、灯具３０のカバー部６２の枠の表面には、位置合わせ用の２つの矢印５７，６７が向かい合わせに印刷されている。これにより、２つの灯具ガイド部７３と２つの第３溝部９３との位置合わせが容易になる。
【００８３】
図２２に示した各種表示の態様は、適宜変更することができる。例えば、文字６４、矢印６５，６６，６７は、それぞれ異なる色とすることができる。大きさや形状等も任意である。また、文字６４、矢印６５，６６，６７は、カバー部６２の枠の表面にインク、レーザ等で直接印字されてもよいし、シール部材に印字されて、カバー部６２の枠の表面にそのシール部材が貼付されてもよいし、カバー部６２の枠の表面にレーザ、金型成型等により直接刻印されてもよい。矢印５７についても同様である。
【００８４】
以上説明したように、本実施の形態では、灯具本体３１の円形の他端面（下面）に、プッシュ操作のために灯具３０を指で押すべき位置が文字６４によって表示されている。プッシュ操作のために灯具３０を指で押すべき位置とは、その位置が指で押し上げられたときに、照明器具２０に対して灯具本体３１が傾かず、プッシュ操作によりラッチ機構１１がロックされる位置のことである。例えば、灯具本体３１の円周方向における灯具係合部３２の位置に対応する位置（灯具係合部３２が灯具本体３１の上面において０度の位置と１８０度の位置とに設けられているとすれば、灯具本体３１の下面において０度の位置と１８０度の位置）を指で押せば、照明器具２０に対して灯具本体３１が傾くことなく、プッシュ操作によりラッチ機構１１をロックすることができる。なお、文字６４は、任意の図柄に置き換えてもよいし、任意の図柄とともに付されていてもよい。
【００８５】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。例えば、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【００８６】
１０  照明装置、１１  ラッチ機構、２０  照明器具、２１  器具本体、２２  器具係合部、２３  器具接続部、３０  灯具、３１  灯具本体、３２  灯具係合部、３３  灯具接続部、３４  光源部、４１  ベースプレート部、４２  アーム部、４３  枠部、４４  端子台、４５  電源配線、４６  接続配線、５１  第１ラッチ部、５２  第２ラッチ部、５３  第１開口部、５４  第２開口部、５５  リフレクタ部、５６  器具鍔部、５７  矢印、６１  筐体、６２  カバー部、６３  灯具鍔部、６４  文字、６５  矢印、６６  矢印、６７  矢印、７１  第１キーパ部、７２  第２キーパ部、７３  灯具ガイド部、８１
内周面部、８２  器具ガイド部、９１  第１溝部、９２  第２溝部、９３  第３溝部、９４  落下防止部。
【図１】
2018133345.tif 000003
【図２】
2018133345.tif 000004
【図３】
2018133345.tif 000005
【図４】
2018133345.tif 000006
【図５】
2018133345.tif 000007
【図６】
2018133345.tif 000008
【図７】
2018133345.tif 000009
【図８】
2018133345.tif 000010
【図９】
2018133345.tif 000011
【図１０】
2018133345.tif 000012
【図１１】
2018133345.tif 000013
【図１２】
2018133345.tif 000014
【図１３】
2018133345.tif 000015
【図１４】
2018133345.tif 000016
【図１５】
2018133345.tif 000017
【図１６】
2018133345.tif 000018
【図１７】
2018133345.tif 000019
【図１８】
2018133345.tif 000020
【図１９】
2018133345.tif 000021
【図２０】
2018133345.tif 000022
【図２１】
2018133345.tif 000023
【図２２】
2018133345.tif 000024